(57)【特許請求の範囲】
【請求項１】
乗客コンベアに取り付けられ貫通孔が設けられたパネルと、前記貫通孔の内方に設けられた押し込み式のスイッチと、前記貫通孔の周縁部から立ち上がる筒状のプロテクタと、前記プロテクタの開口部を覆う弾性変形可能な板状のカバーと、前記プロテクタの外側に着脱可能に固定されたキャップとを備え、
前記キャップは、前記プロテクタの端面と間隔をあけて対向する対向面を備え、前記プロテクタの端面と前記対向面との間に環状溝を形成し、
前記カバーは、前記スイッチと間隔をあけて対向するように前記環状溝に保持され、押圧により湾曲して前記スイッチを操作することを特徴とする乗客コンベアの操作盤。
【請求項２】
前記環状溝の溝幅が前記カバーの厚さより大きいことを特徴とする請求項１に記載の乗客コンベアの操作盤。
【請求項３】
前記キャップは、前記プロテクタの外周面に設けられたネジ部に螺合して前記プロテクタに固定されていることを特徴とする請求項１又は２に記載の乗客コンベアの操作盤。
【請求項４】
前記カバーは、前記環状溝に挿入される挿入部が、周方向に間隔をあけて複数設けられていることを特徴とする請求項１〜３のいずれか１項に記載の乗客コンベアの操作盤。
【請求項５】
前記挿入部は、前記環状溝の周方向に等間隔に設けられていることを特徴とする請求項４に記載の乗客コンベアの操作盤。
【請求項６】
前記キャップは、前記プロテクタの開口部と対向する位置に前記対向面を貫通する窓部を備えることを特徴とする請求項１〜５のいずれか１項に記載の乗客コンベアの操作盤。
【請求項７】
前記スイッチと前記カバーの間隔が、前記パネルと前記カバーの間隔より大きいことを特徴とする請求項１〜６のいずれか１項に記載の乗客コンベアの操作盤。
【請求項８】
前記キャップが金属で形成されていることを特徴とする請求項１〜７のいずれか１項に記載の乗客コンベアの操作盤。
【請求項９】
前記プロテクタが金属で形成されていることを特徴とする請求項１〜８のいずれか１項に記載の乗客コンベアの操作盤。
【請求項１０】
前記スイッチが、乗客コンベアを停止させる非常停止スイッチであることを特徴とする請求項１〜９のいずれか１項に記載の乗客コンベアの操作盤。
【発明の詳細な説明】
【技術分野】
【０００１】
本発明の実施形態は、乗客コンベアの操作盤に関する。
【背景技術】
【０００２】
一般にエスカレータや動く歩道などの乗客コンベアには、乗客コンベアの動作を制御するためのボタン装置を備えた操作盤が設置されている。操作盤に設けられたボタン装置の中には、非常時に乗客コンベアを停止させる非常停止ボタンなどのように、通常時に誤って押圧操作されないようにボタンカバーが取り付けられていることがある。
【０００３】
このようなボタンカバーは、透明な硬質のアクリル樹脂からできており、このボタンを押圧操作する場合には、ボタンカバーを押し破った後にボタンを押す必要がある。しかしながら、ボタン装置を押圧操作する際にボタンカバーを押し破ると、その破壊されたボタンカバーに鋭利に尖ったバリが生じるため、ボタンを押した指を引き抜くときに怪我をするおそれがある。
【０００４】
そこで、スイッチの周りを取り囲むボタン枠に係合溝を設け、当該係合溝へボタンカバーに設けた突起を係合することにより、ボタン枠の内側にボタンカバーを保持させ、ボタンを押圧操作する際にボタンカバーを指先で押し込むと突起が係合溝から外れ、ボタンカバーが変位してスイッチを押圧操作するボタン装置が提案されている（例えば、下記特許文献１）。
【０００５】
しかしながら、特許文献１では、ボタンカバーの剛性が高くボタン枠にボタンカバーを保持させにくいため、ボタン装置が押圧操作された後、復旧するために専用の治具を用いてボタン枠の係合溝にボタンカバーの突起を係合させる必要がある。また、ボタンカバーの突起が係合溝から外れる際に突起が折れることがあり、繰り返しボタンカバーを繰り返し使用することができないこともある。
【先行技術文献】
【特許文献】
【０００６】
【特許文献１】特開２００６−２１３４３０号公報
【発明の概要】
【発明が解決しようとする課題】
【０００７】
本発明は上記の点を考慮してなされたものであり、ボタン操作時の安全性を高めつつボタン操作後の復旧作業を容易に行うことができる乗客コンベアの操作盤を提供することを目的とする。
【課題を解決するための手段】
【０００８】
実施形態に係る乗客コンベアの操作盤は、乗客コンベアに取り付けられ貫通孔が設けられたパネルと、前記貫通孔の内方に設けられた押し込み式のスイッチと、前記貫通孔の周縁部から立ち上がる筒状のプロテクタと、前記プロテクタの開口部を覆う弾性変形可能な板状のカバーと、前記プロテクタの外側に着脱可能に固定されたキャップとを備え、前記キャップは、前記プロテクタの端面と間隔をあけて対向する対向面を備え、前記プロテクタの端面と前記対向面との間に環状溝を形成し、前記カバーは、前記スイッチと間隔をあけて対向するように前記環状溝に保持され、押圧により湾曲して前記スイッチを操作することを特徴とする。
【図面の簡単な説明】
【０００９】
【図１】一実施形態に係る操作盤が適用される乗客コンベアの斜視図である。
【図２】一実施形態に係る操作盤の正面図である。
【図３】図２のＡ−Ａ断面図である。
【図４】ボタンを押圧操作した状態を示す操作盤の断面図である。
【図５】（ａ）（ｂ）は変更例に係る操作盤のボタン装置の正面図である。
【発明を実施するための形態】
【００１０】
以下、本発明の一実施形態について、図面を参照して説明する。
【００１１】
本実施形態では、本発明の一実施形態に係る操作盤２０が適用される乗客コンベア１として、図１に例示するような建物の上下階に跨って傾斜して設置され踏段３が上下階にわたって移動するエスカレータの場合を説明するが、本発明は、ステップが水平方向に移動する動く歩道に対しても適用することができる。
【００１２】
乗客コンベア１は、上下の乗降床２の間を無端状に連結されて移動する多数の踏段３と、踏段３の両側に踏段３の移動方向に沿って立設された左右一対の欄干４と、欄干４の周縁を移動する移動手摺５とを備える。
【００１３】
多数の踏段３は、無端状の踏段チェーンによって連結されており、建物の床下に設置されたトラスと呼ばれる主枠６内に配置されている。
【００１４】
欄干４は、踏段３の両側に立設された欄干パネル７と、欄干パネル７の周縁部に取り付けられたベルト状の移動手摺５と、欄干パネル７の下部に配設されたスカート部８とを備える。
【００１５】
欄干パネル７は、例えば、ガラスやステンレスなどのパネルからなり、複数枚のパネルを踏段３の移動方向に沿ってつなぎ合わせることで構成されている。
【００１６】
スカート部８は、乗客の足元を保護するもので、分割された複数枚の例えば鋼板製のパネルを踏段３の移動方向に沿ってつなぎ合わせることで構成されている。このスカート部８の長手方向の両端部、つまり、欄干４の先端部には正面スカートカバー９が設けられ、スカート部８の先端部を閉塞している。
【００１７】
移動手摺５は、欄干パネル７の周縁部を踏段３と同期して循環移動するものであり、スカート部８内部より乗口側の正面スカートカバー９に設けられたインレット部１０を通って外部に現れ、降口側の正面スカートカバー９に設けられたインレット部１０からスカート部８内に入り込みスカート部８内部を通って乗口側へ移動する。
【００１８】
左右の欄干４のいずれか一方の正面スカートカバー９には、操作盤２０を取り付ける取付孔１１が乗客コンベア１の内側（踏段３側）となる側面部９ａに設けられている。取付孔１１の四隅にはネジ穴が設けられており、操作盤２０に挿通させたネジ１２をネジ穴に螺合させることにより、取付孔１１に嵌め込まれた操作盤２０が正面スカートカバー９に取り付けられている。
【００１９】
操作盤２０は、図２に示すように、正面スカートカバー９に設けられた取付孔１１を覆うパネル２１と、非常時に乗客コンベアを停止させるボタン装置２２と、乗客コンベア１の上昇運転と下降運転を切り替えるキースイッチ２３と、乗客コンベア１の起動及び停止を切り替えるキースイッチ２４とを備える。パネル２１には、貫通孔２５，２６，２７が設けられており、各貫通孔２５，２６，２７にボタン装置２２、キースイッチ２３、２４が配設されている。
【００２０】
図３に示すように、ボタン装置２２は、押し込み式のスイッチ２８と、プロテクタ２９と、キャップ３１と、カバー３７とを備える。
【００２１】
スイッチ２８は、パネル２１の内側に固定されたスイッチケース１３に取り付けられ、貫通孔２５の内方に配置されており、貫通孔２５を介してスカート部８内部に配設されたスイッチ２８が外部に露出する。
【００２２】
パネル２１の貫通孔２５の周縁部には、パネル２１から立ち上がる筒状のプロテクタ２９が設けられている。プロテクタ２９は、金属材から形成されパネル２１にかしめ固定されており、プロテクタ２９の外周面にネジ部３０が設けられている。プロテクタ２９に設けられたネジ部３０には、キャップ３１に設けられたネジ部３２が螺合し、プロテクタ２９の外側に着脱可能にキャップ３１が固定されている。
【００２３】
キャップ３１は、金属材から形成されており、プロテクタ２９と螺合するネジ部３２が内周面に設けられた筒部３３と、筒部３３の先端から内方に折れ曲がりプロテクタ２９の端面２９ａと間隔をあけて対向する対向面３４を備える。
【００２４】
キャップ３１は、プロテクタ２９の外側に固定されると、対向面３４がプロテクタ２９の端面２９ａと間隔をあけて対向し、対向面３４とプロテクタ２９の端面２９ａとの間に環状溝３５を形成する。キャップ３１は、筒状のプロテクタ２９の開口部２９ｂと対向する位置に対向面３４を貫通する窓部３６が設けられている。
【００２５】
カバー３７は、軟質アクリル樹脂などから形成された弾性変形可能な薄板状の部材であり、その周縁部がプロテクタ２９の端面２９ａとキャップ３１の対向面３４との間に形成された環状溝３５に挿入される挿入部３７ａをなしている。なお、本実施形態では、カバー３７が円板状をなしており、環状溝３５の全周にカバー３７の挿入部３７ａが挿入されている。
【００２６】
カバー３７の厚さＴは、環状溝３５の溝幅Ｗ、つまり、プロテクタ２９の端面２９ａとキャップ３１の対向面３４との間隔Ｗより小さく設定されている。このようなカバー３７は、挿入部３７ａが環状溝３５に挿入されると、環状溝３５内で移動可能な状態でプロテクタ２９の端面２９ａ側に保持され、開口部２９ｂを外側から覆ってキャップ３１の対向面３４に設けられた窓部３６と開口部２９ｂを仕切っている。
【００２７】
このように環状溝３５に保持されたカバー３７は、スイッチ２８と間隔Ｄをあけて対向する。なお、本実施形態では、上記したようにスイッチ２８がパネル２１の内側に配設されており、スイッチ２８とカバー３７の間隔Ｄがパネル２１からカバー３７の距離Ｈより大きく設定されている。
【００２８】
ここで、図３に基づいて操作盤２０に設けられたボタン装置２２の各種寸法の一例を挙げると、プロテクタ２９の開口部２９ｂの直径Ｒ１が２５ｍｍ、プロテクタ２９の端面２９ａの外径Ｒ２が３０ｍｍ、プロテクタ２９の突出量に相当するパネル２１からカバー３７の距離Ｈが４ｍｍの場合に、カバー３７の直径Ｒ３を２９ｍｍ、カバー３７の厚さＴを０．１〜０．３ｍｍ、環状溝３５の溝幅Ｗを１ｍｍ、スイッチ２８とカバー３７の間隔Ｄを８ｍｍにすることができる。
【００２９】
このような構成の操作盤２０において、ボタン装置２２が押圧操作されキャップ３１の窓部３６からカバー３７が押し込まれると、図４に示すように、カバー３７が湾曲してプロテクタ２９の開口部２９ｂ内に落ち込み、スイッチ２８を押圧操作される。
【００３０】
その際、本実施形態では、環状溝３５の溝幅Ｗがカバー３７の厚さＴより大きくカバー３７が環状溝３５内で移動可能な状態で保持されているため、カバー３７が押し込まれ湾曲すると、カバー３７の挿入部３７ａが環状溝３５から外れ、筒状のプロテクタ２９の開口部２９ｂ内に落ち込む。スイッチ２８が押圧操作された後には、開口部２９ｂ内に湾曲したカバー３７が嵌り込んだ状態で保持される。このようにボタン装置２２が押圧操作されると湾曲したカバー３７が開口部２９ｂ内に保持されることで、ボタン装置２２が操作されたことを容易に判別することができる。
【００３１】
次に、押圧されたボタン装置２２を復旧するには、プロテクタ２９に固定されたキャップ３１を取り外し、プロテクタ２９の開口部２９ｂ内に嵌り込んだカバー３７を取り出す。そして、取り出したカバー３７をプロテクタ２９の端面２９ａとキャップ３１の対向面３４との間に配置させた状態で、キャップ３１のネジ部３２とプロテクタ２９のネジ部３０とを螺合させて、環状溝３５にカバー３７を保持させつつキャップ３１をプロテクタ２９の外側に固定する。これにより、図３に示すような押圧操作される前の状態に復帰し、ボタン装置２２の再使用が可能となる。
【００３２】
以上のような本実施形態では、プロテクタ２９との間でカバー３７を保持するキャップ３１がプロテクタ２９に着脱可能に固定されるため、カバー３７が押し込まれた後、キャップ３１を取り外すことでプロテクタ２９の開口部２９ｂ内に嵌り込んだカバー３７を取り出しボタン装置２２を簡単に復旧することができる。
【００３３】
また、本実施形態では、カバー３７が湾曲してスイッチ２８を操作するため、カバー３７を破断する必要が無く指先に怪我を負うことがなく、安全に操作することができる。
【００３４】
更にまた、本実施形態では、環状溝３５の溝幅Ｗがカバー３７の厚さＴより大きく設定され、弾性を有するカバー３７が環状溝３５内で移動可能な状態で保持されているため、カバー３７を湾曲させスイッチ２８を操作するのに必要な押圧力を適切な大きさに簡単に設定することができる。
【００３５】
すなわち、カバー３７の周縁部（つまり、挿入部３７ａ）が、プロテクタ２９の端面２９ａとキャップ３１の対向面３４と挟まれ固定されると、スイッチ２８を操作するのに必要な押圧力が、挿入部３７ａに作用する挟持力の大きさによって変化するため、当該押圧力を一定にするには、プロテクタ２９に対するキャップ３１の締め付け量を正確に管理しなければならず作業効率が低下する。これに対して、本実施形態では、弾性を有するカバー３７が環状溝３５内で移動可能な状態で保持されており、プロテクタ２９に対するキャップ３１の締め付け具合に影響することがないため、組み付け作業や復旧作業の際にスイッチ２８を操作するのに必要な押圧力を適切な大きさに簡単に設定することができる。
【００３６】
しかも、本実施形態では、弾性を有するカバー３７が環状溝３５内で移動可能な状態で保持されており、カバー３７が押し込まれ湾曲すると、カバー３７の挿入部３７ａが環状溝３５から外れるため、スイッチ２８とカバー３７の間隔Ｄを大きく設定して、スイッチ２８の誤動作を防止することができる。
【００３７】
特に、本実施形態のようにスイッチ２８とカバー３７の間隔Ｄがパネル２１からカバー３７の距離Ｈより大きく設定され、スイッチ２８がパネル２１の内側に配設することで、ショッピングカートやベビーカーのローラ等の物体がパネル２１から突出するボタン装置２２に衝突しても、スイッチ２８が誤って作動するのを防ぐことができる。
【００３８】
なお、上記した本実施形態では、カバー３７を円板状に設け、カバー３７の挿入部３７ａが環状溝３５の全周に挿入される場合について説明したが、例えば、図５（ａ）（ｂ）に示すように、環状溝３５の周方向に等間隔をあけて複数の挿入部３７ａをもうけてもよい。このように構成することで、周方向に隣接する挿入部３７ａの間に切欠部３８が形成されるため、カバー３７が押し込まれ湾曲する際にカバー３７に皺が発生するのを抑えることができ、スムーズにカバー３７を押し込みスイッチ２８を操作することができる。
【００３９】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４０】
１…乗客コンベア      ２…乗降床      ３…踏段
４…欄干      ５…移動手摺      ６…主枠
７…欄干パネル      ８…スカート部      ９…正面スカートカバー
９ａ…側面部      １０…インレット部      １１…取付孔
１２…ネジ      １３…スイッチケース      ２０…操作盤
２１…パネル      ２２…ボタン装置      ２５…貫通孔
２８…スイッチ      ２９…プロテクタ      ２９ａ…端面
２９ｂ…開口部      ３０…ネジ部      ３１…キャップ
３２…ネジ部ｖ３３…筒部      ３４…対向面
３５…環状溝      ３６…窓部      ３７…カバー
３７ａ…挿入部      ３８…切欠部
【要約】      （修正有）【課題】ボタン操作時の安全性を高めつつボタン操作後の復旧作業を容易に行うことができる乗客コンベアの操作盤を提供する。【解決手段】乗客コンベアに取り付けられ貫通孔２５が設けられたパネル２１と、貫通孔２５の内方に設けられた押し込み式のスイッチ２８と、貫通孔２５の周縁部から立ち上がる筒状のプロテクタ２９と、プロテクタ２９の開口部２９ｂを覆う弾性変形可能な板状のカバー３７と、プロテクタ２９の外側に着脱可能に固定されたキャップ３１とを備え、キャップ３１は、プロテクタ２９の端面２９ａと間隔Ｗをあけて対向する対向面３４を備え、プロテクタ２９の端面２９ａと対向面３４との間に環状溝３５を形成し、カバー３７は、スイッチ２８と間隔Ｄをあけて対向するように環状溝３５に保持され、押圧により湾曲してスイッチ２８を操作する。【選択図】図３【図１】
0005474223.tif 000002
【図２】
0005474223.tif 000003
【図３】
0005474223.tif 000004
【図４】
0005474223.tif 000005
【図５】
0005474223.tif 000006